(57)【要約】【課題】  従来の欠点を解消したペーパーウェブの継続的接合を行うための装置及び方法を提供する。【解決手段】  ペーパーウェブを継続的に接合するための装置であって、装置の排出セクションに向かってペーパーウェブ（５，６）が進行する間に、前記ペーパーウェブ（５，６）を押圧円筒体又はローラー（４）上で圧縮することが可能な手段からなり、前記圧縮手段が、下にある弾性表面（２３）によって支持された硬質外側表面（２０）を外側に有するローラー又は円筒体（２）を含むようにした。
2006513068.tif 000002
【特許請求の範囲】
【請求項１】
ペーパーウェブを継続的に接合するための装置であって、装置の排出セクションに向かってペーパーウェブ（５，６）が進行する間に、前記ペーパーウェブ（５，６）を押圧円筒体又はローラー（４）上で圧縮することが可能な手段からなり、前記圧縮手段が、下にある弾性表面（２３）によって支持された硬質外側表面（２０）を外側に有するローラー又は円筒体（２）を含むことを特徴とする装置。
【請求項２】
前記弾性表面（２３）が、剛性円筒体表面（２１）によって次に支持されることを特徴とする請求項１記載の装置。
【請求項３】
前記圧縮ローラー（２）の前記外側表面（２０）が、予めセットされたピッチ及び方向を有し、前記弾性表面（２３）に適用されている螺旋状ボディから作成されることを特徴とする請求項１記載の装置。
【請求項４】
前記外側表面（２０）が前記弾性表面（２３）を完全に覆うことを特徴とする請求項１記載の装置。
【請求項５】
前記圧縮ローラー（２）の外側表面（２０）が鋼鉄から作製されることを特徴とする請求項１〜４いずれか１項記載の装置。
【請求項６】
前記圧縮ローラー（２）がゴムから作製されることを特徴とする請求項１〜５いずれか１項記載の装置。
【請求項７】
前記押圧円筒体（４）が表面レリーフ及び／又は凹みを有することを特徴とする請求項１記載の装置。
【請求項８】
前記押圧円筒体（４）がエンボス加工円筒体であることを特徴とする請求項１記載の装置。
【請求項９】
ウェブの相互圧縮によって２つのペーパーウェブ（５，６）の接合を行うための方法であって、硬質外側表面を有する圧力ローラー又は円筒体（２）と表面レリーフ及び／又は凹みを有する押圧ローラー又は円筒体（４）との間で前記ペーパーウェブを圧縮することを特徴とする方法。
【請求項１０】
前記押圧円筒体がエンボス加工円筒体（４）であることを特徴とする請求項９記載の方法。
【発明の詳細な説明】
【技術分野】
【０００１】
本発明は、ペーパーウェブ(paper web)を継続的に接合するための装置及び方法に関する。
【背景技術】
【０００２】
ペーパーウェブの継続的接合のために通常用いられる装置は、図１の概略図に示したように、ペーパーウェブ（Ｅ，Ｆ）をエンボス加工（模様浮き出し）するためのの２対のローラー及び円筒体（Ａ，Ｂ；Ｃ，Ｄ）と、エンボス加工ローラーの１つに対応して通過するペーパーの上の糊の所定量を分配するためのローラー（Ｇ）と、糊付けローラー（Ｇ）のちょうど反対側に位置し表面ゴム加工がされた刻印ローラー（Ｈ）と、からなり、対応するエンボス加工ローラー及び円筒体の間を前記ペーパーウェブ（Ｅ，Ｆ）が通過する際に、すなわち、図１中の“Ｘ”“Ｙ”で示された領域を前記ペーパーウェブ（Ｅ，Ｆ）が通り抜ける際に、前記ペーパーウェブ（Ｅ，Ｆ）がエンボス加工され、かつエンボス加工ローラー（Ｂ）上を通り抜けることによって、そして表面ゴムローラー（Ｈ）により前記ペーパー上に付加された圧力のために、しっかりと糊付けされる。図１において、矢印（ＶＥ，ＶＦ，ＶＡ）は、ウェブ（Ｅ）、ウェブ（Ｆ）の進行の方向及び排出される連結されたウェブ（ＡＣ）の方向を示す。
【０００３】
このオペレーション技術に関する１つの欠点は、排出用圧力ローラー（Ｈ）を覆う材料の追従性のため、そして第一エンボス加工円筒体（Ｂ）上に排出用圧力ローラー（Ｈ）が及ぼす圧力のため、圧力ローラーの材料が円筒体の表面空隙に入り込んでしまうという点にある。
【０００４】
その結果、２つのペーパーウェブの相互の押しつぶし合いが、（図２Ａに示されるように）圧力ローラーのコーティング材料がエンボス加工円筒体の空隙にフィットする範囲内にある空間の全てで起こる。
【０００５】
そして、したがって、ある種の再エンボス加工が排出材料の両面のうちの１つで顕著な粗さとともに生ずる（図２Ｂを参照。観念的断面図において、結合されたウェブにおいて“Ｌ”が変形を示す）。
【０００６】
このタイプの装置の使用に関するもう１つの欠点は、機械的部材及び接着剤のコスト並びにシステムを清潔に保つ困難性から、糊分配のシステムが多大な経費を必要とするという点にある。
【０００７】
ペーパーウェブを継続的に結合するために共通して用いられるもう１つの装置は、図３Ａの概略図に従ったエンボス加工ローラー及び円筒体の下流にあり、固い表面を有するスムーズローラー（Ｚ）と表面浮き彫り模様を有する１組の小ローラー（Ｗ）とからなるグループから構成される。したがって、排出される結合されたウェブがスムーズローラー（Ｚ）上に載ることにより、前記小ローラー（Ｗ）の下を通るように位置されている。
【０００８】
このやり方だと、小ローラーのレリーフが２つのペーパーウェブの相互の押しつぶし合いの原因となり、それにより、接着剤の類は一切使用していないにもかかわらず、それらウェブは接合する。
【０００９】
そのような装置に関する１つの欠点は、小ローラーのアクションによって引き入れられた領域に対応して、前もって行われたエンボス加工は消失し、装置から排出する結合されたウェブ上で、そこに沿って現された２つ又は３つのエリアが著しく視認可能となる（図４に図示されたように、“ＡＣ”は結合されたウェブを示し、“ＡＭ”は上記のエリアを示し、そしてドット列は、前記小ローラーを含む前記グループの上流で行われたエンボス加工を示す）。
【００１０】
結論として、この公知のオペレーション技術はまた、部分的にではあるが、結合されたウェブを作成する２つのウェブのエンボス加工による効果の喪失となることはいずれにせよ明白である。
【００１１】
このタイプの装置の使用についてのさらなる欠点は、小ローラーはシステムの所定の作業速度を超過しているときに振動する傾向がある。このように、小ローラーは尚早に摩耗する傾向がある。したがって、作業可能スピードに上限が設けられるべきであり、このことは昨今の生産要求と対立する結果となる。
【００１２】
前記マーク（ＡＭ）が、前記結合されたウェブのログを切断する際に、形成されたロールについて完全に中央に位置されることは、めったにない。これは、あまり明瞭でない同一のマーク（ＡＭ）が作成される原因となる。
【発明の開示】
【発明が解決しようとする課題】
【００１３】
本発明の主要な目的は、上記欠点を解消することにある。
【課題を解決するための手段】
【００１４】
本発明によれば、独立クレームに記載された特徴を有する作業方法及び装置を提供することによって、この結果は達成される。また、従属クレームにも特徴が記載されている。
【００１５】
すなわち、本発明の装置は、ペーパーウェブを継続的に接合するための装置であって、装置の排出セクションに向かってペーパーウェブ（５，６）が進行する間に、前記ペーパーウェブ（５，６）を押圧円筒体又はローラー（４）上で圧縮することが可能な手段からなり、前記圧縮手段が、下にある弾性表面（２３）によって支持された硬質外側表面（２０）を外側に有するローラー又は円筒体（２）を含むことを特徴とする。
【００１６】
前記弾性表面（２３）が、剛性円筒体表面（２１）によって次に支持されるのが好ましい。
【００１７】
また、前記圧縮ローラー（２）の前記外側表面（２０）が、予めセットされたピッチ及び方向を有し、前記弾性表面（２３）に適用されている螺旋状ボディから作成されるように構成するのが好適である。
【００１８】
前記外側表面（２０）が前記弾性表面（２３）を完全に覆うのが好ましい。
【００１９】
前記圧縮ローラー（２）の外側表面（２０）が鋼鉄から作製されるのが好ましい。
【００２０】
前記圧縮ローラー（２）がゴムから作製されるのが好ましい。
【００２１】
前記押圧円筒体（４）が表面レリーフ及び／又は凹みを有するのが好ましい。
【００２２】
前記押圧円筒体（４）がエンボス加工円筒体であるのが好ましい。
【００２３】
本発明の方法は、ウェブの相互圧縮によって２つのペーパーウェブ（５，６）の接合を行うための方法であって、硬質外側表面を有する圧力ローラー又は円筒体（２）と表面レリーフ及び／又は凹みを有する押圧ローラー又は円筒体（４）との間で前記ペーパーウェブを圧縮することを特徴とする。
【００２４】
また、前記押圧円筒体がエンボス加工円筒体（４）であるのが好ましい。
【発明の効果】
【００２５】
本発明は、前もってエンボス加工を行っておいても行わないでおいても、そして糊を使用してもしなくとも、接合されたウェブの望まない表面変形を生じることなく、２つのペーパーウェブの継続的な接合を行うことを可能とし、それにより、より良い品質を生じさせるものである。
【００２６】
その上、本発明に係る装置は、製造が容易であり、コストがかからなく、長期間使用の後でも信頼性の高いものである。
【発明を実施するための最良の形態】
【００２７】
これらの、そして、その他の本発明の利点及び特徴は、本発明の実施の形態として示された添付図面とともに以下の記述を読むことにより当業者によって最も良く理解されるであろう。しかし、それらを限定的意味に解釈してはならない。
【００２８】
図１は、公知の装置の簡略化した機能のダイアグラムである。図２Ａ及び図２Ｂは、図１の拡大詳細図であって結合されたウェブの安定化のための手段について示す。図３Ａは、図１のダイアグラムに類似したダイアグラムであり、もう１つの公知の装置に関するものである。図３Ｂ及び図３Ｃは、図３Ａの２つの拡大詳細図を示す。図４は、図３Ａの装置から排出された際の結合されたウェブの概略平面図である。
【００２９】
図５Ａは、図１及び図３Ａのダイアグラムと類似したダイアグラムであるが、本発明に係る装置についてのダイアグラムである。図５Ｂ及び５Ｃは、図５Ａの２つの拡大詳細図である。図６は本発明に係る装置のための安定化円筒体に関し、図６Ａ〜図６Ｄは本発明に係る装置のための安定化円筒体の異なる実施形態を正面図で示す。図７は、ローラー（２）の径断面の概略図である。
【００３０】
図８は、本発明に係る装置のもう１つの可能な用途に関するダイアグラムである。図９は、本発明に係る装置のさらなる可能な用途に関するダイアグラムである。図１０は、本発明に係る装置のまた１つ別の可能な用途に関し、図１０Ａは本発明に係る装置のまた１つ別の可能な用途に関するダイアグラムであり、図１０Ｂは図１０Ａのシステムから排出された際の製品の概略的、部分的平面図である。
【００３１】
図１１Ａは、本発明に係る装置と協働して使用される刻印ローラー又は円筒体の概略的平面図である。図１１Ｂは、図１１ＡにおけるＭ−Ｍ線の断面図である。図１２Ａは、本発明に係る装置と協働して使用されるさらなる刻印ローラー又は円筒体の概略的平面図である。図１２Ｂは、図１２ＡにおけるＮ−Ｎ線の断面図である。
【００３２】
基本的構造についていえば、添付図面の図５Ａ〜図７に示されるように、本発明に係る装置は結合されたウェブ（１）のエンボス加工のための手段と協働して使用され、かつ弾性支持表面上に適用された外側表面（２０）を有するローラー（２）で構成される。
【００３３】
使われている前記ローラー（２）は、その長手方向軸の周囲を自由に回転するようにされ、そのローラー（２）を支持するための固定構造（簡略化のために添付図面では示していない）を有している。
【００３４】
図５Ａに図式で示された実施例によれば、前記エンボス加工手段は、当業者に知られたタイプであって、図５Ａに矢印（Ｒ）で示したように、それぞれの長手方向軸の周囲を回転させるための対応するモーター部材（図示せず）と協働する２対のエンボス加工ローラー及び円筒体（３、４；３０、４０）を有する作業グループからなる。
【００３５】
図７に図示された実施例によれば、前記ローラー（２）は、固定構造（図示せず）によって遊びを有して支持されたシャフトである同軸端ハブ（２２）を有し、例えば鋼鉄から作製された剛性円筒体（２１）からなる。
【００３６】
前記円筒体（２１）には、弾性コーティング（２３）が施されており、例えば、ショア硬度６０〜９０の範囲の硬さを有する“ネオプレン”ゴム素材が使われる。
【００３７】
前記コーティング（２３）の上には、例えば、“ロクタイト（Loctite）”接着剤によって、例えば鋼鉄から作製された硬質表面（２０）が付加される。
【００３８】
前記硬質表面（２０）は、図６Ａ〜６Ｄに示すように、例えば、所定のピッチ及び方向を有する螺旋状エレメントを付加することによって、形成されうる。図６Ｄの例の場合には、スクリューピッチは、硬質表面（２０）が弾性表面（２３）を完全に覆うように前もってセットされている。
【００３９】
実際には、弾性表面（２３）は、その弾性表面（２３）上に設けられた硬質表面（２０）のための弾性支持として作用する。
【００４０】
ローラー（２）は、エンボス加工手段の下流に位置するので、結合されたウェブ（１）が、システムから出る前に、エンボス加工円筒体（４）及びローラー（２）の間に挟まれることとなる。
【００４１】
ローラー（２）は、当業者にとって公知のタイプであってローラー（２）を円筒体（４）に対して常時受け台とさせる水圧手段と協働する。
【００４２】
結合したウェブ（１）を形成する２つのウェブ（５，６）を圧縮するのに円筒体（４）及びローラー（２）は互いに協働する。より具体的には、排出口に向かって進行しながら、円筒体（４）の表面とローラー（２）の硬質表面（２０）との間で２つのウェブは押しつぶされる。それによって、たとえ２つのペーパーウェブの間で接着剤を使わなくとも、このタイプの素材が意図される用途のための十分な安定性を有するウェブの結合が行われる。
【００４３】
ローラー（２）の硬質表面（２０）の硬さは、上記した２つのウェブの前記最終結合において、その表面が、円筒体（４）の空隙又は刻印に入り込む程には変形しないようにされている。したがって、前もって行われたエンボス加工が、望まない変更を経験することはない。その上、前記硬質表面（２０）が弾性支持に載置された際に、回転円筒体（４）とローラー（２）との協働によって生ずることがある振動が実質的に抑えられる。
【００４４】
上述した効果を結合箇所（coupling）の全幅に及ぼしたい場合には、ローラー（２）の長さが円筒体（４）の長さと実質的に同一となるようにする。もし、そのような効果が結合箇所の一部分のみにしたい場合には、ローラー（２）を円筒体（４）よりも短くすればよい。
【００４５】
前記ウェブ（５，６）は単独（individual）タイプ又は多数（multiple）タイプのいずれもが適用可能である。
【００４６】
上述した装置（２）は、図８に示したタイプのシステム内でもまた好都合に利用可能であり、その場合には、２つのウェブのうち１つのみをエンボス加工する作業を行う唯一のエンボス加工グループ（３，４）によって、スムーズな又はエンボス加工されていないウェブ（６）とエンボス加工されたウェブ（５）との接合が実現される。装置（２）のオペレーションは、図５Ａの概略ダイアグラムを参照して前述されたものと同様である。
【００４７】
本発明の装置は、図９に示したタイプのシステム内でもまた好都合にも利用可能であり、その場合には、唯一のエンボス加工グループ（３，４）によって両方がエンボス加工された２つのウェブ（５，６）の接合が実現される。また、この場合には、装置（２）のオペレーションは、図５Ａの概略ダイアグラムを参照して前述されたものと同様である。
【００４８】
さらに、本発明の装置は、図１０Ａに示したタイプのシステム内でもまた好都合にも利用可能であり、その際にはペーパーウェブの接合に先だってエンボス加工は行われない。
【００４９】
円筒体（４）は、図１０Ａに図示したように、略ピラミッド表面カットを有するか、又は、図１２Ａに示したように、予めセットされた形状及びデザイン（４０１）の表面レリーフを有し、かつ予め決められた順序に従いその円筒体の表面上に分配されたタイプが使用可能である。
【００５０】
後者の場合には、ローラー（２）は、弾性表面（２３）を完全に覆う硬質表面（２０）を有し、図６Ｄに示されたようなタイプのものが好都合にも使用可能である。また、この
場合には、装置（２）のオペレーションは図５Ａの概略ダイアグラムを参照して前述されたものと同様である。
【００５１】
図１１Ａに示された円筒体（４）は、図５Ａに示した機構内でもまた好都合にも使用可能である。そのような円筒体は、図面に格子状目地で示されたように、ピラミッド表面カット（４００）及び予め決められた形状及びサイズのレリーフ（４０１）をその外側に有する。
【００５２】
前述したように、多数タイプのウェブである２つのペーパーウェブ（５，６）の接合をする場合には、本発明に係るオペレーション方法は、押圧ローラー又は円筒体（２）と刻印ローラー又は円筒体（４）との間でペーパーウェブを圧縮する工程を含む。前記刻印円筒体には表面レリーフ及び／又は凹みが施され、かつ前記押圧円筒体の外側表面は硬質表面とされている。
【００５３】
本発明の方法によれば、前記円筒体（４）はまたエンボス加工円筒体とすることも可能である。
構成の詳細は、採用された解決手段の範囲から逸脱せずかつ本発明に与えられる保護の範囲にとどまることなく、使用される材料の形状、寸法、組成及び性質に関する限り均等の手法の範囲内において変更可能である。
【図面の簡単な説明】
【００５４】
【図１】公知の装置の簡略化した機能のダイアグラムである。
【図２Ａ】図１の拡大詳細図であって結合されたウェブの安定化のための手段を示す。
【図２Ｂ】図１の拡大詳細図であって結合されたウェブの安定化のための手段を示す。
【図３Ａ】図１のダイアグラムに類似したダイアグラムであり、もう１つの公知の装置に関するものである。
【図３Ｂ】図３Ａの拡大詳細図を示す。
【図３Ｃ】図３Ａの拡大詳細図を示す。
【図４】図３Ａの装置から排出された際の結合されたウェブの概略平面図である。
【図５Ａ】図１及び図３Ａのダイアグラムと類似したダイアグラムであるが、本発明に係る装置についてのダイアグラムである。
【図５Ｂ】図５Ａの拡大詳細図である
【図５Ｃ】図５Ａの拡大詳細図である。
【図６】本発明に係る装置のための安定化円筒体に関し、図６Ａ〜図６Ｄは本発明に係る装置のための安定化円筒体の異なる実施形態を正面図で示す。
【図７】ローラー（２）の径断面の概略図である。
【図８】本発明に係る装置のもう１つの可能な用途に関するダイアグラムである。
【図９】本発明に係る装置のさらなる可能な用途に関するダイアグラムである。
【図１０】本発明に係る装置のまた１つ別の可能な用途に関し、図１０Ａは本発明に係る装置のまた１つ別の可能な用途に関するダイアグラムであり、図１０Ｂは図１０Ａのシステムから排出された際の製品の概略的、部分的平面図である。
【図１１Ａ】本発明に係る装置と協働して使用される刻印ローラー又は円筒体の概略的平面図である。
【図１１Ｂ】図１１ＡにおけるＭ−Ｍ線の断面図である。
【図１２Ａ】本発明に係る装置と協働して使用されるさらなる刻印ローラー又は円筒体の概略的平面図である。
【図１２Ｂ】図１２ＡにおけるＮ−Ｎ線の断面図である。
【符号の説明】
【００５５】
１：ペーパーウェブ、２：圧縮ローラー又は円筒体、３：エンボス加工ローラー、４：エンボス加工円筒体（押圧円筒体、回転円筒体）、５，６；ペーパーウェブ、２０：硬質外側表面、２１：剛性円筒体、２２：同軸端ハブ、２３：弾性コーティング（弾性表面）、４００：ピラミッド表面カット、４０１：レリーフ、Ａ，Ｂ：円筒体、ＡＣ：ウェブ、ＡＭ：マーク、Ｂ：エンボス加工ローラー、Ｅ，Ｆ：ペーパーウェブ、Ｇ：ローラー、Ｈ：排出用圧力ローラー（刻印ローラー、表面ゴムローラー）、Ｒ：矢印、ＶＥ，ＶＦ，ＶＡ：矢印、Ｗ：小ローラー、Ｚ：スムーズローラー。
【図１】
2006513068.tif 000003
【図２Ａ】
2006513068.tif 000004
【図２Ｂ】
2006513068.tif 000005
【図３Ａ】
2006513068.tif 000006
【図３Ｂ】
2006513068.tif 000007
【図３Ｃ】
2006513068.tif 000008
【図４】
2006513068.tif 000009
【図５Ａ】
2006513068.tif 000010
【図５Ｂ】
2006513068.tif 000011
【図５Ｃ】
2006513068.tif 000012
【図６】
2006513068.tif 000013
【図７】
2006513068.tif 000014
【図８】
2006513068.tif 000015
【図９】
2006513068.tif 000016
【図１０】
2006513068.tif 000017
【図１１Ａ】
2006513068.tif 000018
【図１１Ｂ】
2006513068.tif 000019
【図１２Ａ】
2006513068.tif 000020
【図１２Ｂ】
2006513068.tif 000021
【手続補正書】
【提出日】平成16年10月21日(2004.10.21)
【手続補正１】
【補正対象書類名】特許請求の範囲
【補正対象項目名】請求項９
【補正方法】変更
【補正の内容】
【請求項９】
ウェブの相互圧縮によって２つのペーパーウェブ（５，６）の接合を行うための方法であって、硬質外側表面及びその下にある弾性表面（２３）を有する圧力ローラー又は円筒体（２）と表面レリーフ及び／又は凹みを有する押圧ローラー又は円筒体（４）との間で前記ペーパーウェブを圧縮することを特徴とする方法。
【手続補正２】
【補正対象書類名】明細書
【補正対象項目名】０００２
【補正方法】変更
【補正の内容】
【０００２】
ペーパーウェブの継続的な接合を行うための装置はＤＥ−Ａ−１００４３９８９（特許文献１）及びＵＳ２００１／０１９７５７（特許文献２）から公知である。これら文献は、ウェブの相互圧縮によって２つのペーパーウェブの接合を行うための装置であって、表面レリーフ及び／又は凹みを有する圧力ローラーと押圧ローラーとの間で前記ペーパーウェブが圧縮されることを記載している。
ペーパーウェブの継続的接合のために通常用いられる装置は、図１の概略図に示したように、ペーパーウェブ（Ｅ，Ｆ）をエンボス加工（模様浮き出し）するためのの２対のローラー及び円筒体（Ａ，Ｂ；Ｃ，Ｄ）と、エンボス加工ローラーの１つに対応して通過するペーパーの上の糊の所定量を分配するためのローラー（Ｇ）と、糊付けローラー（Ｇ）のちょうど反対側に位置し表面ゴム加工がされた刻印ローラー（Ｈ）と、からなり、対応するエンボス加工ローラー及び円筒体の間を前記ペーパーウェブ（Ｅ，Ｆ）が通過する際に、すなわち、図１中の“Ｘ”“Ｙ”で示された領域を前記ペーパーウェブ（Ｅ，Ｆ）が通り抜ける際に、前記ペーパーウェブ（Ｅ，Ｆ）がエンボス加工され、かつエンボス加工ローラー（Ｂ）上を通り抜けることによって、そして表面ゴムローラー（Ｈ）により前記ペーパー上に付勢された圧力のために、しっかりと糊付けされる。図１において、矢印（ＶＥ，ＶＦ，ＶＡ）は、ウェブ（Ｅ）、ウェブ（Ｆ）の進行の方向及び排出される連結されたウェブ（ＡＣ）の方向を示す。
【手続補正３】
【補正対象書類名】明細書
【補正対象項目名】００１２
【補正方法】変更
【補正の内容】
【００１２】
前記マーク（ＡＭ）が、前記結合されたウェブのログを切断する際に、形成されたロールについて完全に中央に位置されることは、めったにない。これは、あまり明瞭でない同一のマーク（ＡＭ）が作成される原因となる。
【特許文献１】独国特許出願公開第１００４３９８９号明細書
【特許文献２】米国特許出願公開第２００１／０１９７５７号明細書
【手続補正４】
【補正対象書類名】明細書
【補正対象項目名】００５３
【補正方法】変更
【補正の内容】
【００５３】
本発明の方法によれば、前記円筒体（４）はまたエンボス加工円筒体とすることも可能である。
【国際調査報告】
2006513068.tif 000022
2006513068.tif 000023
2006513068.tif 000024